(57)【要約】【課題】基地局と、レピータと、無線端末とからなる通信システムにおいて、レピータが移動しうるものであった場合、レピータの配下にあった無線端末が他の基地局にハンドオーバーできなかったり、他の無線端末が移動するレピータにハンドオーバーできないという問題を解決する。【解決手段】基地局は、新たなレピータと同期を確立すると、当該レピータの情報を自身で保持していた無線端末に送信するためのネイバーリストに含ませる。また、今まで同期を確立していたレピータとの同期が確立できなくなった場合に、同期を確立できなくなったレピータの情報を保持しているネイバーリストから削除する。レピータの移動が予測できる場合、いつどこを通過するのかという情報に基づき、その移動経路上の基地局は、レピータの情報があるネイバーリストとレピータの情報がないネイバーリストとを時間に応じて使い分ける。【選択図】図１
2010056934.tif 000002
【特許請求の範囲】
【請求項１】
基地局と、レピータと、無線端末とからなる通信システムであって、前記レピータと前記基地局との相対位置関係が変化しうるものであり、
前記基地局は、
自基地局と通信しているレピータまたは無線端末がハンドオーバーを実行する際に参照するハンドオーバー先の候補となる基地局又はレピータの情報を示すネイバーリストを記憶する第１記憶手段と、
前記ネイバーリストに登録されていないレピータと同期を確立した場合に、当該レピータの情報を含ませて前記ネイバーリストを更新する更新手段と、
前記第１記憶手段に記憶されているネイバーリストを自基地局と通信しているレピータ及び無線端末に送信する第１送信手段とを備え、
レピータは、
無線端末がハンドオーバーを実行する際に参照するハンドオーバー先の候補となる基地局及びレピータの情報を示すネイバーリストを記憶する第２記憶手段と、
今までの同期を解除し、新たな基地局と同期を確立した場合に、同期を確立した基地局からネイバーリストを取得する取得手段と、
前記第２記憶手段に記憶されているネイバーリストを、前記取得手段により取得されたネイバーリストに同期を確立した基地局の情報を追加したネイバーリストに置換する置換手段と、
前記第２記憶手段に記憶されているネイバーリストを自レピータと通信している無線端末に送信する第２送信手段とを備える
ことを特徴とする通信システム。
【請求項２】
前記更新手段は、更に、
前記ネイバーリストに登録されているレピータとの同期が解除された場合に、当該レピータの情報を削除して前記ネイバーリストを更新する
ことを特徴とする請求項１記載の通信システム。
【請求項３】
前記置換手段は、更に、
前記取得手段が取得したネイバーリストに自レピータの情報が含まれていた場合に、自レピータの情報を削除する
ことを特徴とする請求項１記載の通信システム。
【請求項４】
前記レピータと前記基地局との相対位置関係は変化しうるものであり、
記憶手段は、時間ごとの自局に近接する基地局及びレピータの情報を示すネイバーリリストを複数記憶し、
前記基地局は、更に、
前記複数のネイバーリストのうち配信するネイバーリストを前記時間に応じて決定する決定手段を供え、
前記送信手段は、前記決定手段により決定されたネイバーリストを自局に位置登録されているレピータならびに無線端末に送信する
ことを特徴とする請求項１記載の通信システム。
【請求項５】
基地局と無線端末の通信を中継するレピータであって、
ハンドオーバーする候補となる基地局の情報を含むネイバーリストを記憶する記憶手段と、
前記ネイバーリストを参照してハンドオーバーを実行する実行手段と、
前記実行手段がハンドオーバーを実行した場合に、ハンドオーバー先の基地局から、当該基地局が保持するネイバーリストを受け付ける受付手段と、
前記記憶手段に記憶されているネイバーリストを、前記受付手段が受け付けたネイバーリストに、ハンドオーバー先の基地局の情報を追加したネイバーリストに置換する置換手段と、
前記記憶手段に記憶されているネイバーリストを、自レピータと通信している無線端末に送信する
ことを特徴とするレピータ。
【請求項６】
前記置換手段は、更に、
前記取得手段が取得したネイバーリストに自レピータの情報が含まれていた場合に、自レピータの情報を削除する
ことを特徴とする請求項５記載のレピータ。
【請求項７】
基地局と、レピータと、無線端末が含まれる通信システムにおける基地局であって、
自基地局と通信しているレピータまたは無線端末がハンドオーバーを実行する際に参照するハンドオーバー先の候補となる基地局又はレピータの情報を示すネイバーリストを記憶する第１記憶手段と、
前記ネイバーリストに登録されていないレピータと同期を確立した場合に、当該レピータの情報を含ませて前記ネイバーリストを更新する更新手段と、
前記第１記憶手段に記憶されているネイバーリストを自基地局と通信しているレピータ及び無線端末に送信する送信手段とを備える
ことを特徴とする基地局。
【請求項８】
前記更新手段は、更に、
前記ネイバーリストに登録されているレピータとの同期が解除された場合に、当該レピータの情報を削除して前記ネイバーリストを更新する
ことを特徴とする請求項７記載の基地局。
【発明の詳細な説明】
【技術分野】
【０００１】
本発明は、基地局、レピータ、無線端末を含む通信システムに関し、特に、ネイバーリストの更新に関する。
【背景技術】
【０００２】
無線通信において、無線端末は基地局ないし、中継器であるレピータと同期を確立して通信を実行する。各基地局あるいはレピータは、通信を実行できる範囲が仕様で定まっており、基地局あるいはレピータとの通信が続行しにくいところに移動すると無線端末はより信号強度の強い別の基地局あるいはレピータとの同期を確立する。無線端末が通信先の基地局あるいはレピータを変更することを一般にハンドオーバーという。
【０００３】
ハンドオーバーを行うに当たり、無線端末は、同期を確立している基地局から受領したネイバーリストを参照して基地局を探索する。基地局は、予めオペレータにより設定された近接する基地局を示す情報であるネイバーリストを保持している。当該ネイバーリストを受領しておくことで、ネイバーリスト中の基地局群に対し、順次接続を試みる等により無線端末はハンドオーバーが可能となる。
【０００４】
非特許文献１には、ＷｉＭＡＸにおけるハンドオーバーに関する技術が開示されている。
【非特許文献１】庄納  崇  編著、インプレス標準教科書シリーズ  ＷｉＭＡＸ教科書、日本国、株式会社インプレスＲ＆Ｄ  発行
【発明の開示】
【発明が解決しようとする課題】
【０００５】
ところで、レピータを設置するにあたり、電車の車両への搭載などが考えられるが、その場合には、新たに車両に乗ってきたユーザが保持する無線端末のレピータへのハンドオーバーが実行できない。車両に乗ってきたユーザが保持する無線端末のネイバーリストにはレピータの情報がないからである。
また、レピータがネイバーリストを保持して、レピータの配下にある無線端末に送信する形態をとっていた場合には、レピータが移動するものであった場合、無線端末がレピータとの通信範囲から外れるときにハンドオーバーが実行できないという問題も発生する。
【０００６】
そこで、本発明は上記課題に鑑みてなされたものであり、レピータの移動に伴い、無線端末がハンドオーバーできなくなるという事態を防げる通信システムを提供することを目的とする。
【課題を解決するための手段】
【０００７】
上記課題を解決するため、本発明は、基地局と、レピータと、無線端末とからなる通信システムであって、前記レピータと前記基地局との相対位置関係が変化しうるものであり、前記基地局は、自基地局と通信しているレピータまたは無線端末がハンドオーバーを実行する際に参照するハンドオーバー先の候補となる基地局又はレピータの情報を示すネイバーリストを記憶する第１記憶手段と、前記ネイバーリストに登録されていないレピータと同期を確立した場合に、当該レピータの情報を含ませて前記ネイバーリストを更新する更新手段と、前記第１記憶手段に記憶されているネイバーリストを自基地局と通信しているレピータ及び無線端末に送信する第１送信手段とを備え、レピータは、無線端末がハンドオーバーを実行する際に参照するハンドオーバー先の候補となる基地局及びレピータの情報を示すネイバーリストを記憶する第２記憶手段と、今までの同期を解除し、新たな基地局と同期を確立した場合に、同期を確立した基地局からネイバーリストを取得する取得手段と、前記第２記憶手段に記憶されているネイバーリストを、前記取得手段により取得されたネイバーリストに同期を確立した基地局の情報を追加したネイバーリストに置換する置換手段と、前記第２記憶手段に記憶されているネイバーリストを自レピータと通信している無線端末に送信する第２送信手段とを備えることを特徴としている。
【発明の効果】
【０００８】
上述のような構成によって、レピータがハンドオーバーを実行した場合に、レピータがハンドオーバーを実行した先の基地局及びレピータ自身において、ハンドオーバーを契機に無線端末に配布されるネイバーリストが更新されるので、元々レピータの配下にいた無線端末がレピータからハンドオーバーを実行する際に、ネイバーリストに載っている基地局やレピータを探索できないという事態を回避できる。
【発明を実施するための最良の形態】
【０００９】
以下、本発明の一実施形態である通信システム、レピータ、及び基地局について図面を用いて説明する。
＜実施の形態＞
＜構成＞
図１は、通信システムのシステム構成を示したシステム図である。
【００１０】
通信システムは、基地局１０１〜１０７と、レピータ２０１〜２０４と、無線端末３０１〜３０３とを含んで構成される。なお、ここに示した基地局や、レピータ、無線端末の台数は１例であり、実際には、数千台、数万台あってもよい。
各基地局１０１〜１０７は、ネットワークを介して互いに接続されている。
レピータ２０１は、基地局１０２と同期を確立し通信している。レピータ２０２は、基地局１０３と同期を確立し通信している。レピータ２０３は、基地局１０４と同期を確立し通信している。レピータ２０４は、基地局１０５と同期を確立し通信している。
【００１１】
無線端末３０１は、基地局１０３と同期を確立し通信している。無線端末３０２は、レピータ２０２と同期を確立し通信している。無線端末３０３は、レピータ２０４と同期を確立し通信している。
なお、以下の説明では、基地局をＢＳ（Base Station）、レピータをＲＳ（Relay Station）、無線端末をＭＳ（Mobile Station）と記載することもある。また、基地局や、レピータ、無線端末は、従来からある基本的な機能を保持しているものとし、本実施例においては、発明の特徴部分を重点的に説明する。
【００１２】
図２は、基地局の機能構成を示した機能ブロック図である。各基地局は、同様の機能構成を備えており、ここでは基地局１０３を例に説明する。
図２は、基地局１０３の機能構成を示した機能ブロック図である。図２に示すように基地局１０３は、上位通信部１１０と、制御部１２０と、下位通信部１３０と、記憶部１４０とを含んで構成される。
【００１３】
上位通信部１１０は、ネットワークと接続しており、他の基地局と通信を実行する機能を有する。また、他の基地局から受信した自基地局に登録されている無線端末宛ての信号を下位通信部１３０に伝達する機能と、下位通信部１３０から伝達された信号をネットワークに出力する機能を有する。
制御部１２０は、基地局１０３の各部を制御する機能を有する。制御部１２０は、下位通信部１３０から、新たなレピータと同期を確立したことを示す同期確立情報を受けて、当該レピータの情報を追加登録して、ネイバーリスト１４１を更新する機能を有する。また、下位通信部１３０から、レピータとの同期を解除したことを示す同期解除情報を受けて、当該レピータの情報を削除して、ネイバーリスト１４１を更新する機能も有する。
【００１４】
下位通信部１３０は、アンテナ１３１を含み、無線端末及びレピータと通信を実行する機能を有する。下位通信部１３０は、アンテナ１３１を介して、レピータ及び無線端末との同期を確立するために毎フレームごとにプリアンブル及びダウンリンク方向の通信に必要な周波数等の情報を含むＤＬ−ＭＡＰと、アップリンク方向の通信に必要な周波数等の情報を含むＵＬ−ＭＡＰとを含ませて発信している。
【００１５】
記憶部１４０は、基地局１０３が動作上必要とするプログラムやデータを記憶する機能を有し、ネイバーリスト１４１を記憶している。ネイバーリスト１４１は、基地局１０３が同期を確立している無線端末あるいはレピータが他の基地局にハンドオーバーを実行する際にハンドオーバー先の候補として参照する基地局ならびにレピータの情報を示す情報である。
【００１６】
以上が基地局１０３の説明である。
図３は、レピータの機能構成を示した機能ブロック図である。各レピータは、同様の機能構成を備えており、ここではレピータ２０２を例に説明する。
図３は、レピータ２０２の機能構成を示した機能ブロック図である。図３に示すように、レピータ２０２は、ドナー部２１０と、リモート部２２０と、制御部２３０と、記憶部２４０とを含んで構成される。ドナー部２１０は、基地局１０３と通信を実行する機能を有する。リモート部２２０は、無線端末３０１と通信を実行する機能を有する。ドナー部２１０とリモート部２２０とは同一のクロックが供給されて動作している。
【００１７】
ドナー部２１０は、第１通信部２１１と、起動制御部２１４とを含んで構成される。
第１通信部２１１は、アンテナ２１２と第１同期確立部２１３とを含んで構成される。第１通信部２１１は、アンテナ２１２を介して基地局と通信する機能を有する。第１通信部２１１は、アンテナ２１２を介して基地局から受信した信号をリモート部２２０に伝達する機能を有する。また、リモート部２２０から伝達された信号をアンテナ２１２を介して基地局に送信する機能を有する。
【００１８】
第１同期確立部２１３は、プリアンブルの参照信号を保持し、基地局との同期が確立していない状態において第１通信部で受信した信号の中から保持している参照信号と一致する信号を検出してプリアンブルを特定し、プリアンブルに後続するＭＡＰ情報（ダウンリンクの周波数帯域や、下りバーストの割当、アップリンクの周波数帯域や、上りバーストの割当等の情報を含む）に基づいて、基地局との同期を確立する機能を有する。
【００１９】
起動制御部２１４は、第１同期確立部２１３が基地局と同期を確立し、基地局からプリアンブルが到来するタイミングとその周期を自己の動作クロックにおけるタイミングと周期に換算し、そのタイミングと周期を第２同期確立部２２３に通知し、同期に必要なプリアンブルを含むフレームの発信を指示する。
リモート部２２０は、第２通信部２２１を含んで構成される。
【００２０】
第２通信部２２１は、アンテナ２２２と第２同期確立部２２３とを含んで構成される。第２通信部２２１は、アンテナ２２２を介して、リモート部に接続されている無線端末と通信を実行する機能を有する。第２通信部２２１は、第１通信部２１１から伝達された信号を、アンテナ２２２を介して指定される無線端末に送信する機能を有する。また、アンテナ２２２を介して受信した信号を第１通信部２１１に伝達する機能を有する。
【００２１】
第２同期確立部２２３は、起動制御部２１４から指示されたタイミングと同じタイミングでプリアンブルが発信されるように、第２通信部２２１が、各フレームごとに含ませるプリアンブルならびにＭＡＰ情報を生成し、生成された情報を含んだ信号を起動制御部２１４から通知されたタイミングで第２通信部２２１が発信する。当該プリアンブルならびにＭＡＰ情報が無線端末で受信されることにより、同期の諸手順が開始され、第２同期確立部２２３は、必要に応じて無線端末とネゴシエーションを行って同期を確立する。
【００２２】
制御部２３０は、レピータ２０２の各部を制御する機能を有する。制御部２３０は、ドナー部２１０が新たな基地局と同期を確立した場合に、ドナー部２１０が新たに同期を確立した基地局から取得したネイバーリストに、当該基地局の情報を追加し、レピータ２０２の情報が含まれていた場合には、レピータ２０２の情報を削除したネイバーリストをネイバーリスト２４１として記憶部２４０に記憶させる。
【００２３】
記憶部２４０は、レピータ２０２が動作上必要とする各種プログラムやデータを記憶する機能を有し、特にネイバーリスト２４１を記憶する。ネイバーリスト２４１は、レピータ２０２がハンドオーバーする際に参照するハンドオーバー先の機器の候補の情報である。また、ネイバーリスト２４１は、レピータ２０２と通信している無線端末に配信される。
【００２４】
以上がレピータ２０２の説明である。
図４は、無線端末の機能構成を示した機能ブロック図である。各無線端末は、同様の機能構成を備えており、ここでは無線端末３０１を例に説明する。
図４に示すように無線端末３０１は、通信部３１０と、表示部３２０と、音声処理部３３０と、操作部３４０と、記憶部３５０と、制御部３６０とを含んで構成される。
【００２５】
通信部３１０は、アンテナ３１１から受け取った受信信号を受話音声信号及び受信データ信号に復調し、復調した受話音声信号や、受信データ信号を制御部３６０に出力する機能を有する。また、通信部３１０は、音声処理部３３０でＡ／Ｄ変換された送話音声信号、及び制御部３６０から与えられる電子メールなどの送信データ信号を変調し、通信用アンテナ３１１から出力する機能を有する。また、通信部３１０は、基地局もしくはレピータからの信号を受信し、基地局もしくはレピータと同期を確立する機能を有する。
【００２６】
表示部３２０は、ＬＣＤ（Liquid Crystal Display）などによって実現されるディスプレイを含み、制御部３６０の指示による画像をディスプレイに表示する機能を有する。
音声処理部３３０は、通信部３１０から出力された受話音声信号をＤ／Ａ変換してスピーカ３３２に出力する機能と、マイク３３１から取得した送話音声信号をＡ／Ｄ変換し、変換された信号を制御部３６０に出力する機能を有する。
【００２７】
操作部３４０は、テンキー群、オンフックキー、オフフックキー、方向キー、決定キー、メールキー、サイドキーなどを含み、ユーザの操作を受け付け、受け付けた操作内容を制御部３６０に出力する機能を有する。
記憶部３５０は、ＲＯＭ（Read Only Memory）、ＲＡＭ（Random Access Memory）を含んで構成され、小型ハードディスクや不揮発性メモリなどによって実現される。記憶部３５０は、無線端末３０１の動作上必要な各種データやプログラムの他、音楽データや画像データなどを記憶する機能を有する。記憶部３５０は、同期を確立した基地局もしくはレピータから受信したネイバーリストを記憶している。ネイバーリストは、無線端末３０１がハンドオーバーを実行する際に、通信部３１０により参照される。
【００２８】
制御部３６０は、例えばＣＰＵ（Central Processing Unit）などにより実現され、無線端末３０１の各部を制御する機能を有する。
＜データ＞
ここから、本発明に係るデータについて説明する。
図５は、図１に示す基地局や、レピータが保持するネイバーリスト、無線端末が保持するネイバーリストを示している。図５では、ネイバーリストを保持している装置と、当該装置が保持しているネイバーリストとを対応付けて示している。
【００２９】
図５（ａ）は、基地局１０３が保持しているネイバーリストを示している。基地局１０３が保持しているネイバーリストでは、基地局１０３からハンドオーバーする候補として、「ＲＳ２０２」と、「ＲＳ２０１」と、「ＢＳ１０１」と、「ＢＳ１０２」と、「ＢＳ１０７」とが登録されている。当該ネイバーリストは、基地局１０３と同期を確立しているレピータと無線端末に定期的に配信される。
【００３０】
図５（ｃ）に示すように、基地局１０３と同期を確立している無線端末３０１は、基地局１０３と同内容のネイバーリストを保持している。
図５（ｂ）は、レピータ２０２が保持しているネイバーリストを示している。当該ネイバーリストは、レピータ２０２自身がハンドオーバーする際に参照するネイバーリストであると同時に、レピータ２０２に同期する無線端末がハンドオーバーを実行する際に参照するネイバーリストでもある。
【００３１】
図５（ｄ）に示すように、レピータ２０２に同期する無線端末３０２は、レピータ２０２が保持するネイバーリストと同内容のネイバーリストを保持している。レピータ２０２と、無線端末３０２とは、ハンドオーバー先の候補として「ＲＳ２０１」と「ＢＳ１０３」と「ＢＳ１０７」と、「ＢＳ１０２」とが登録されたネイバーリストを保持している。
図５では、図１における一部装置のネイバーリストのみを示したが、図１に示す全ての装置がネイバーリストを保持している。
＜動作＞
まず、図６のタイミングチャートを用いてレピータがハンドオーバーを実行した場合の通信システムにおけるネイバーリスト更新に係る動作を説明する。ここでは、無線端末３０２と通信中のレピータ２０２が基地局１０３から基地局１０７にハンドオーバーする場合を例に説明する。
【００３２】
レピータ２０２は基地局１０３と同期を確立し、通信を実行している（ステップＳ６０１）。
一方、無線端末３０２は、レピータ２０２と同期を確立し、通信を実行している（ステップＳ６０２）。
レピータ２０２が移動すると、基地局１０３からの受信信号の受信強度が低下するので、レピータ２０２は、ハンドオーバーの実行を基地局１０３に要求する（ステップＳ６０３）。
【００３３】
当該ハンドオーバー要求に対して基地局１０３は、ハンドオーバーを許する信号をレピータ２０２に送信する（ステップＳ６０４）。
すると、レピータ２０２は、自身が保持しているネイバーリストを参照してハンドオーバーを実行する（ステップＳ６０５）。ここでは、基地局１０７にハンドオーバーすることとする。
【００３４】
レピータ２０２は、基地局１０７が発信するプリアンブルを受信し、同期を確立する（ステップＳ６０６）。
同期を確立すると、今まで通信を実行していた基地局１０３とは同期が解除されるので、基地局１０３は、自身で保持しているネイバーリストから、レピータ２０２の情報を削除してネイバーリストを更新する（ステップＳ６０７）
そして基地局１０７は、更新したネイバーリストをレピータ２０２に送信する（ステップＳ６０９）。なお、このタイミングで基地局１０７に属している無線端末にも更新されたネイバーリストが送信される。
【００３５】
基地局１０７からネイバーリストを受信すると、レピータ２０２は受信したネイバーリストを更新して、記憶する（ステップＳ６１０）。
そして更新されたネイバーリストをレピータ２０２に属している無線端末３０２に送信する（ステップＳ６１１）。
無線端末３０２は、送信されてきたネイバーリストを記憶する（ステップＳ６１２）。無線端末３０２が記憶した新たなネイバーリストは、無線端末３０２がレピータ２０２から別の基地局ないしレピータにハンドオーバーする際に参照されることとなる。
【００３６】
では、ここから、基地局、レピータ、無線端末におけるネイバーリストの更新について順に説明する。
まず、基地局におけるネイバーリストの更新について図７に示すフローチャートに基づいて説明する。
基地局の制御部１２０は、下位通信部１３０が新たなレピータとの同期を確立したか否かを検出する（ステップＳ７０１）。当該検出は、下位通信部１３０から新たなレピータと同期を確立したことを示す通知を受けるか否かによって行われる。
【００３７】
新たなレピータと同期を確立した場合に（ステップＳ７０１のＹＥＳ）、下位通信部１３０から制御部１２０に新たに同期を確立したレピータの情報が伝達され、制御部１２０は、同期を確立したレピータの情報をネイバーリスト１４１に追加して更新する（ステップＳ７０２）。
一方、下位通信部１３０が新たなレピータとの同期を確立していない場合、（ステップＳ７０１のＮＯ）、制御部１２０は、今まで通信していたレピータとの同期が解除されたか否かを検出する（ステップＳ７０３）。当該検出は下位通信部１３０から今まで通信していたレピータとの同期を解除したことを示す通知を受けるか否かによって行われる。
【００３８】
同期を解除していない場合（ステップＳ７０３のＮＯ）、制御部１２０は、ステップＳ７０１に戻り以降の処理を実行する。
レピータとの同期を解除した場合に（ステップＳ７０３のＹＥＳ）、下位通信部１３０から制御部１２０に、今まで通信していたレピータの情報が伝達され、同期を解除したレピータの情報をネイバーリスト１４１から削除して更新する（ステップＳ７０４）。
【００３９】
そして制御部１２０は、ステップＳ７０２や、ステップＳ７０４において更新されたネイバーリスト１４１を下位通信部１３０に、同期を確立して通信している全てのレピータ及び無線端末に配信させる（ステップＳ７０５）。
以上が、基地局におけるネイバーリストの更新に係る動作である。
次にレピータにおけるネイバーリストの更新に係る動作を図８に示すフローチャートを用いて説明する。
【００４０】
第１通信部２１１は、基地局からの許可を受けて、ネイバーリスト２４１を参照してハンドオーバーを実行し、新たな基地局と同期を確立する（ステップＳ８０１）。
第１通信部２１１は、新たに同期を確立した基地局から配信されるネイバーリストを受信し、受信したネイバーリストを制御部２３０に伝達する（ステップＳ８０２）。
制御部２３０は、伝達されたネイバーリストに同期を確立した基地局の情報を追加する（ステップＳ８０３）。
【００４１】
また、制御部２３０は、伝達されたネイバーリストに自機の情報があった場合に、自機の情報をネイバーリストから削除する（ステップＳ８０４）。
そうして更新されたネイバーリストを記憶部２４０のネイバーリスト２４１に置き換えて記憶する。そして制御部２３０は、新たなネイバーリスト２４１を第２通信部２２１が通信している無線端末に送信する（ステップＳ８０５）。
【００４２】
以上がレピータにおけるネイバーリストの更新の動作である。
最後に無線端末におけるネイバーリストの更新について図９のフローチャートを用いて説明する。
無線端末は定期的に通信している基地局あるいはレピータからネイバーリストの配信を受けている。通信部３１０は、新たなネイバーリストを受信する（ステップＳ９０１）。
【００４３】
ネイバーリストを受信した通信部３１０は、当該ネイバーリストを制御部３６０に伝達する。そして制御部３６０は、記憶部３５０に記憶しているネイバーリストを伝達されたネイバーリストに置き換えて記憶させる（ステップＳ９０２）。
以上が無線端末におけるネイバーリストの更新の流れである。
では、ネイバーリストの更新について具体例を以って説明する。
【００４４】
図１０のシステム図に示すように、図１のシステム図において、基地局１０３と通信していたレピータ２０２が、基地局１０７にハンドオーバーしたとする。また、レピータ２０２が電車などに搭載されているレピータであったとして、無線端末３０２のユーザも当該電車に乗車していたものとする。
レピータ２０２が基地局１０３から基地局１０７にハンドオーバーした場合、基地局１０３と、基地局１０７と、レピータ２０２と、無線端末３０２とでネイバーリストが更新される。
【００４５】
図１１は、それぞれが保持する更新後のネイバーリストである。図１１（ａ）は、基地局１０３が保持している更新後のネイバーリストであり、図１１（ｂ）は、レピータ２０２が保持している更新後のネイバーリストであり、図１１（ｃ）は、基地局１０７が保持している更新後のネイバーリストであり、図１１（ｄ）は、無線端末３０２が保持している更新後のネイバーリストである。
【００４６】
図５と図１１とを比較しながら、どのように更新されたかを説明する。
まず、基地局１０３が保持していたネイバーリストについて、基地局１０３は今まで通信していたレピータ２０２との同期を解除したので、図５（ａ）から図１１（ａ）への変化をみれば分かるように基地局１０３が保持していたネイバーリストからはレピータ２０２の情報が削除されている。
【００４７】
次に基地局１０７が保持していたネイバーリストについて、基地局１０７は、新たにレピータ２０２との同期を確立したので、図５（ｃ）から図１１（ｃ）への変化をみればわかるように基地局１０７が保持していたネイバーリストにレピータ２０２の情報が追加されている。
レピータ２０２が保持するネイバーリストは、図５（ｂ）から図１１（ｂ）への変化に示すように更新される。レピータ２０２は、基地局１０７にハンドオーバーしたので、当該基地局１０７から図１１（ｃ）に示すネイバーリストを取得する。そして図１１（ｃ）に示すネイバーリストに基地局１０７の情報追加し、自機の情報を削除した図１１（ｂ）に示すネイバーリストを保持することになる。
【００４８】
無線端末３０２は、レピータ２０２で更新されたネイバーリストが配信されるので、図５（ｄ）から図１１（ｄ）への変化に示すように、ネイバーリストが更新される。図５（ｄ）と図５（ｂ）とを比較すればわかるように、無線端末３０２が保持するネイバーリストは当然にレピータ２０２が保持するネイバーリストと同一のものである。
このようにレピータがハンドオーバーする際には、レピータが今まで通信していた基地局、レピータのハンドオーバー先の基地局、レピータが通信している無線端末、そしてレピータ自身において、ネイバーリストが更新され、無線端末やレピータはいつでも適切にハンドオーバーを実行できるようになる。
＜補足＞
上記実施形態において、本発明の実施の手法について説明してきたが、本発明の実施形態がこれに限られないことは勿論である。以下、上記実施形態以外に本発明の思想として含まれる各種の変形例について説明する。
（１）上記実施の形態においては、ネイバーリストの更新をレピータのハンドオーバーを契機に実行していたが、以下の手法を用いて更新することとしてもよい。
【００４９】
レピータが、電車に搭載されるレピータなどの場合には、基本的には、電車の運行表及び路線の経路などから、どの時間帯にどの基地局と通信することになるのかの予測がたつ。そこで、各基地局及びレピータは、各時間帯毎に基地局とレピータとを対応付けたネイバーリストを保持し、それぞれで保持する時計などから得られる時刻情報に応じて、使用するネイバーリストを切り替える構成にしてもよい。
（２）上記実施の形態において、ハンドオーバーを契機として、基地局及びレピータがネイバーリストを更新する際に、ネイバーリストに追加もしくはネイバーリストから削除する情報とは、基地局あるいはレピータを通信システム上において一意に特定できる情報であり、基地局あるいはレピータに固有のＩＤのことである。
【００５０】
システムの仕様上、基地局とレピータのＩＤとが重複することがある場合には、このレピータの情報は、レピータのＩＤと、レピータのＩＤであることを示す情報が含まれる。
また、ネイバーリストには各基地局、各レピータが使用する周波数帯域などの情報も含まれている。
（３）上述の実施形態で示したネイバーリストの更新に係る動作、ネイバーリストの更新処理等（図７、８、９参照）を基地局、レピータ、無線端末等のプロセッサ、及びそのプロセッサに接続された各種回路に実行させるためのプログラムコードからなる制御プログラムを、記録媒体に記録すること、又は各種通信路等を介して流通させ頒布させることもできる。このような記録媒体には、ＩＣカード、ハードディスク、光ディスク、フレキシブルディスク、ＲＯＭ等がある。流通、頒布された制御プログラムはプロセッサに読み出され得るメモリ等に格納されることにより利用に供され、そのプロセッサがその制御プログラムを実行することにより、実施形態で示したような各種機能が実現されるようになる。
【産業上の利用可能性】
【００５１】
本発明に係る通信システムは、ネイバーリストを適切に更新して、レピータや無線端末が適切にハンドオーバーできる通信システムとして有用である。
【図面の簡単な説明】
【００５２】
【図１】通信システムのシステム構成を示したシステム図である。
【図２】基地局の機能構成を示した機能ブロック図である。
【図３】レピータの機能構成を示した機能ブロック図である。
【図４】無線端末の機能構成を示した機能ブロック図である。
【図５】図１のシステム図において示した各装置が保持するネイバーリストを示す図である。（ａ）は、基地局１０３が保持するネイバーリストを、（ｂ）は、レピータ２０２が保持するネイバーリストを、（ｃ）は、基地局１０７が保持するネイバーリストを、（ｄ）は、無線端末３０２が保持するネイバーリストを示している。
【図６】本実施の形態においてネイバーリストの更新に係る通信システムの動作を示したタイミングチャートである。
【図７】基地局におけるネイバーリストの更新の動作を示したフローチャートである。
【図８】レピータにおけるネイバーリストの更新の動作を示したフローチャートである。
【図９】無線端末におけるネイバーリストの更新の動作を示したフローチャートである。
【図１０】レピータ２０２が基地局１０３から基地局１０７にハンドオーバーしたことを示すシステム図である。
【図１１】レピータ２０２が基地局１０３から基地局１０７にハンドオーバーしたことによって更新されたネイバーリストを示す図である。（ａ）は、基地局１０３が保持する更新後のネイバーリストを、（ｂ）は、レピータ２０２が保持する更新後のネイバーリストを、（ｃ）は、基地局１０７が保持する更新後のネイバーリストを、（ｄ）は、無線端末３０２が保持するネイバーリストを示している。
【符号の説明】
【００５３】
１０１〜１０７  基地局
１１０  上位通信部
１２０  制御部
１３０  下位通信部
１３１  アンテナ
１４０  記憶部
１４１  ネイバーリスト
２０１〜２０４  レピータ
２１０  ドナー部
２１１  第1通信部
２１２  アンテナ
２１３  第１同期確立部
２１４  起動制御部
２２０  リモート部
２２１  第２通信部
２２２  アンテナ
２２３  第２同期確立部
２３０  制御部
２４０  記憶部
２４１  ネイバーリスト
３０１〜３０３  無線端末
３１０  通信部
３１１  アンテナ
３２０  表示部
３３０  音声処理部
３３１  マイク
３３２  スピーカ
３４０  操作部
３５０  記憶部
３５１  ネイバーリスト
３６０  制御部
【図１】
2010056934.tif 000003
【図２】
2010056934.tif 000004
【図３】
2010056934.tif 000005
【図４】
2010056934.tif 000006
【図５】
2010056934.tif 000007
【図６】
2010056934.tif 000008
【図７】
2010056934.tif 000009
【図８】
2010056934.tif 000010
【図９】
2010056934.tif 000011
【図１０】
2010056934.tif 000012
【図１１】
2010056934.tif 000013